(57)【特許請求の範囲】
【請求項１】
表示領域の一部領域に表示する、パーシャル表示を行う場合のアクティブマトリクス型液晶表示装置の駆動方法であって、コモン電極電圧を、パーシャル表示領域書き込み期間は行間交流駆動、パーシャル表示領域以外の書き込み期間の少なくとも一部はフレーム交流駆動とするとともに、前記パーシャル表示領域以外の書き込み期間であるフレーム交流駆動期間のうち、前記パーシャル表示領域書き込み期間の前後のいずれか一方の正極性又は負極性の同一極性成分期間の長さを調節して、前記パーシャル表示領域書き込み期間の前後における前記フレーム交流駆動期間の正極性又は負極性の同一極性成分期間の長さが等しくなるように、前記コモン電極電圧を制御することを特徴とするアクティブマトリクス型液晶表示装置の駆動方法。
【請求項２】
前記パーシャル表示領域以外の書き込み期間であるフレーム交流駆動期間のうち、前記パーシャル表示領域書き込み期間の前後のいずれか一方の正極性又は負極性の同一極性成分期間の一部を、正極性コモン電圧と負極性コモン電圧との中間電圧を印加する中間電圧期間と置き換えて短縮することにより、前記パーシャル表示領域書き込み期間の前後における前記フレーム交流駆動期間の正極性又は負極性の同一極性成分期間の長さが等しくなるように、前記コモン電極電圧を制御することを特徴とする請求項１に記載のアクティブマトリクス型液晶表示装置の駆動方法。
【請求項３】
前記パーシャル表示領域以外の書き込み期間であるフレーム交流駆動期間のうち、前記パーシャル表示領域書き込み期間の前後のいずれか一方の正極性又は負極性の同一極性成分期間を延長することにより、前記パーシャル表示領域書き込み期間の前後における前記フレーム交流駆動期間の正極性又は負極性の同一極性成分期間の長さが等しくなるように、前記コモン電極電圧を制御することを特徴とする請求項１に記載のアクティブマトリクス型液晶表示装置の駆動方法。
【請求項４】
置き換えた前記中間電圧期間にオフ領域書き込み期間が含まれていた場合、前記中間電圧期間に対応するオフ領域の画素電極に対して、リフレッシュフレーム期間には、ソース電極駆動回路出力電圧の正書き込み電圧と負書き込み電圧との中間電圧がソース電極駆動回路から出力されることを特徴とする請求項２又は３に記載のアクティブマトリクス型液晶表示装置の駆動方法。
【請求項５】
置き換えた前記中間電圧期間にダミーゲート書き込み期間が含まれていた場合、前記中間電圧期間に対応するダミーゲートに対して、リフレッシュフレーム期間には、ソース電極駆動回路出力電圧の正書き込み電圧と負書き込み電圧との中間電圧がソース電極駆動回路から出力されることを特徴とする請求項２乃至４のいずれか一項に記載のアクティブマトリクス型液晶表示装置の駆動方法。
【請求項６】
パーシャル表示領域を構成する画素行数を奇数行とすることを特徴とする請求項１乃至５のいずれか一項に記載のアクティブマトリクス型液晶表示装置の駆動方法。
【請求項７】
前記パーシャル表示領域を構成する画素行数を奇数行とするために付加した一行の画素電極に対し、ソース電極駆動回路からオフカラーデータに相当する電圧を出力することを特徴とする請求項６に記載のアクティブマトリクス型液晶表示装置の駆動方法。
【請求項８】
前記オフ領域のノンリフレッシュフレーム期間には、前記パーシャル表示領域を構成する画素行数を奇数行とするために付加した一行の画素電極を除く前記パーシャル表示領域の画素電極のみ走査を行うことを特徴とする請求項７に記載のアクティブマトリクス型液晶表示装置の駆動方法。
【請求項９】
前記オフ領域のノンリフレッシュフレーム期間における前記パーシャル表示領域書き込み期間以外の期間には、ソース電極に正書き込み電圧と負書き込み電圧との中間電圧を印加することを特徴とする請求項１乃至８のいずれか一項に記載のアクティブマトリクス型液晶表示装置の駆動方法。
【請求項１０】
前記オフ領域のノンリフレッシュフレーム期間における前記パーシャル表示領域書き込み期間以外の期間には、ソース電極駆動回路出力をハイインピーダンスに設定することを特徴とする請求項１乃至８のいずれか一項に記載のアクティブマトリクス型液晶表示装置の駆動方法。
【請求項１１】
前記オフ領域のノンリフレッシュフレーム期間における前記パーシャル表示領域書き込み期間以外の期間には、ソース電極に正書き込み電圧と負書き込み電圧との中間電圧を印加してから、ソース電極駆動回路出力をハイインピーダンスに設定することを特徴とする請求項１乃至８のいずれか一項に記載のアクティブマトリクス型液晶表示装置の駆動方法。
【請求項１２】
請求項１乃至１１のいずれか一項に記載のアクティブマトリクス型液晶表示装置の駆動方法により駆動されるアクティブマトリクス型液晶表示装置を備えていることを特徴とする電子装置。
【請求項１３】
前記電子装置は、携帯型電話装置、ディジタルカメラ、個人用情報端末装置（ＰＤＡ）、ノート型コンピュータ、デスクトップコンピュータ、テレビジョン受像器、車載ディスプレイ、ポータブルＤＶＤプレーヤのいずれかであることを特徴とする請求項１２に記載の電子装置。
【発明の詳細な説明】
【技術分野】
【０００１】
本発明は、アクティブマトリクス型液晶表示装置の駆動方法に関する。
【背景技術】
【０００２】
アクティブマトリクス型液晶表示装置においては、画素電極に対向するコモン電極に所定の信号波形電圧を印加しつつ、表示領域の上段領域から中段領域、下段領域へと画素電極を順次走査しながら、画素電極に書き込み信号を供給するソース電極に所定の書き込み信号波形電圧を印加することにより、各画素電極とコモン電極との間に画素電圧を発生させて、画像表示を行っている。
【０００３】
図１４は、アクティブマトリクス型液晶表示装置において表示領域の全領域に表示を行う全行表示、即ち、通常表示の場合における各電極電圧の信号波形を示すタイミングチャートである。
【０００４】
尚、ここでは、説明の簡略化のため、表示領域全体が８行の画素により構成されているものと仮定している。表示領域の最初の行である第１行の前の行、及び、表示領域の最後の行である第８行の後の行には、ダミー走査用のダミーゲートが配設されている。ダミーゲートは、例えば、画素電極と次行又は前行の走査線であるゲート配線との間に、表示画面に影響を及ぼす程の重なり容量を有する場合に用いられるが、そうでないときには必要とされないこともある。そのような表示パネルに対しては、ダミーゲートに関する記述は無視して考えてよい。これらの点に関しては、後述する他の例でも同様である。
【０００５】
この全行表示の例では、コモン電極電圧Ｖｃｏｍは行間交流駆動とされており、ソース（Source）電極からは、各行に対応して出力データ１乃至８が出力され、各ダミーゲートに対応してオフカラーに相当する電圧であるダミー走査データＤが出力されている。ここで、オフカラーとは、表示がオフであるときの色、例えば、ノーマリブラック液晶表示装置の黒色、ノーマリホワイト液晶表示装置の白色をいう。
【０００６】
各行の画素電極及びダミーゲートは、各フレーム期間ごとに順次走査される。従って、この全行表示の例では、全フレーム期間がリフレッシュフレーム期間となっている。尚、ロー（Ｌｏｗ）レベルの走査信号は、保持動作を示している。
【０００７】
表示領域の表示カラーモードは、例えば、８色モード表示又はフルカラー表示とされる。この例は全行表示の例であるので、画像等の情報の表示を行わないオフ領域は、存在しない。
【０００８】
一方、液晶表示装置における画像表示には、表示領域の全領域に表示を行う全表示の他、省電力化を図るため、表示領域の一部にのみ表示を行うパーシャル表示がある。
【０００９】
パーシャル表示は、表示を行う領域の画素電極とコモン電極との間にのみ画素電圧を発生させて、表示領域全体のうちの一部領域にのみ表示を行うものである。パーシャル表示では、例えば、表示領域の上段領域、中段領域又は下段領域のいずれか一つ又は上段領域及び下段領域の二つに表示を行い、残余の領域をオフ領域とする。
【００１０】
パーシャル表示を行う際の液晶表示装置の駆動方法については、これまでにいくつかの提案がなされているが（例えば、特許文献１参照）、パーシャル表示を行う際のその他の一般的な液晶表示装置の駆動方法について説明する。
【００１１】
図１５は、アクティブマトリクス型液晶表示装置において表示領域の一部領域にパーシャル表示を行う場合における各電極電圧の信号波形の従来例１を示すタイミングチャートである。
【００１２】
このパーシャル表示の従来例１は、全８行の表示領域のうち第３行乃至第６行の４行を使用してパーシャル表示を行う場合の一例である。
【００１３】
従来例１では、コモン電極電圧Ｖｃｏｍは行間交流駆動とされている。
【００１４】
ソース電極駆動回路からは、パーシャル表示を行う第３行乃至第６行に対応して出力データ３乃至６が出力され、オフ領域となる第１行及び第２行、第７行、第８行に対応して、オフカラー表示を行う出力オフカラーに相当する電圧Ｗが出力され、各ダミーゲートに対応して、オフカラーに相当する電圧であるダミー走査データＤが出力されている。
【００１５】
各行の画素電極及びダミーゲートは、各フレーム期間ごとに順次走査される。従って、このパーシャル表示の従来例１では、全フレーム期間がリフレッシュフレーム期間となっており、オフ領域のリフレッシュレートはパーシャル表示領域と同一である。
【００１６】
パーシャル表示領域の表示カラーモードは、例えば、８色モード表示又はフルカラー表示とされる。
【００１７】
図１６は、アクティブマトリクス型液晶表示装置において表示領域の一部領域にパーシャル表示を行う場合における各電極電圧の信号波形の従来例２を示すタイミングチャートである。
【００１８】
このパーシャル表示の従来例２も、全８行の表示領域のうち第３行乃至第６行の４行を使用してパーシャル表示を行う場合の一例である。
【００１９】
このパーシャル表示の従来例２では、オフ領域のリフレッシュレートはパーシャル表示領域の１／３とされている。従って、従来例２では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【００２０】
コモン電極電圧Ｖｃｏｍは行間交流駆動とされているが、ノンリフレッシュフレーム期間におけるオフ領域及びダミーゲートに対応する期間は中間電圧とされている。
【００２１】
ソース電極駆動回路からは、パーシャル表示を行う第３行乃至第６行に対応して出力データ３乃至６が出力される。また、オフ領域となる第１行及び第２行、第７行、第８行に対応して、リフレッシュフレーム期間にはオフカラー表示を行う出力オフカラーに相当する電圧Ｗがソース電極駆動回路から出力されるが、ノンリフレッシュフレーム期間にはデータは出力されない。また、各ダミーゲートに対応して、リフレッシュフレーム期間にはオフカラーに相当する電圧であるダミー走査データＤが出力されるが、ノンリフレッシュフレーム期間にはデータは出力されない。
【００２２】
パーシャル表示領域の表示カラーモードは、例えば、８色モード表示又はフルカラー表示とされる。
【００２３】
このパーシャル表示の従来例２は、オフ領域のノンリフレッシュフレーム期間を設けてオフ領域のリフレッシュレートをパーシャル表示領域の１／３とした分だけ、わずかに消費電力を削減することができるが、図１４に示す通常表示や図１５に示す従来例１と比較して節電効果はあまり大きくない。
【特許文献１】特開２００１−３５６７４６号公報
【発明の開示】
【発明が解決しようとする課題】
【００２４】
パーシャル表示を行う際の従来の一般的な液晶表示装置の駆動方法としては、上述の従来例１，２の他にもいくつかの方法があるが、その際の各種設定の内容によっては、画像表示に問題が発生する場合がある。
【００２５】
そこで、パーシャル表示を行う際の従来のその他の一般的な液晶表示装置の駆動方法及びその問題点について、以下に説明する。
【００２６】
図１７は、アクティブマトリクス型液晶表示装置において表示領域の一部領域にパーシャル表示を行う場合における各電極電圧の信号波形の従来例３を示すタイミングチャートである。
【００２７】
このパーシャル表示の従来例３も、全８行の表示領域のうち第３行乃至第６行の４行を使用してパーシャル表示を行う場合の一例である。
【００２８】
従来例３では、コモン電極電圧Ｖｃｏｍはフレーム交流駆動とされている。
【００２９】
ソース電極駆動回路からは、パーシャル表示を行う第３行乃至第６行に対応して出力データ３乃至６が出力され、オフ領域となる第１行及び第２行、第７行、第８行に対応して、オフカラー表示を行う出力オフカラーに相当する電圧Ｗが出力され、各ダミーゲートに対応して、オフカラーに相当する電圧であるダミー走査データＤが出力されている。
【００３０】
各行の画素電極及びダミーゲートは、各フレーム期間ごとに順次走査される。従って、このパーシャル表示の従来例３では、全フレーム期間がリフレッシュフレーム期間となっており、オフ領域のリフレッシュレートはパーシャル表示領域と同一である。
【００３１】
パーシャル表示領域の表示カラーモードは、例えば、８色モード表示又はフルカラー表示とされる。
【００３２】
図１７の従来例３は、コモン電極電圧Ｖｃｏｍがフレーム交流駆動となっている点のみ、コモン電極電圧Ｖｃｏｍが行間交流駆動である図１５の従来例１と異なっている。
【００３３】
このパーシャル表示の従来例３は、コモン電極電圧Ｖｃｏｍをフレーム交流駆動としたことにより、従来例１と比較して、大幅に消費電力を削減することができる。
【００３４】
しかし、この従来例３においては、コモン電極電圧Ｖｃｏｍがフレーム交流駆動となっているため、低リフレッシュレート時にパーシャル表示領域にフリッカが発生し易いという問題があり、特に、フルカラー表示モードでは顕著である。
【００３５】
図１８は、アクティブマトリクス型液晶表示装置において表示領域の一部領域にパーシャル表示を行う場合における各電極電圧の信号波形の従来例４を示すタイミングチャートである。
【００３６】
このパーシャル表示の従来例４も、全８行の表示領域のうち第３行乃至第６行の４行を使用してパーシャル表示を行う場合の一例である。
【００３７】
このパーシャル表示の従来例４では、オフ領域のリフレッシュレートはパーシャル表示領域の１／３とされている。従って、従来例４では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【００３８】
ソース電極駆動回路からは、パーシャル表示を行う第３行乃至第６行に対応して出力データ３乃至６が出力される。また、オフ領域となる第１行及び第２行、第７行、第８行に対応して、リフレッシュフレーム期間にはオフカラー表示を行う出力オフカラーに相当する電圧Ｗがソース電極駆動回路から出力されるが、ノンリフレッシュフレーム期間にはゲート走査が行われないので、ソース電極駆動回路出力は基本的に表示には無関係であり、任意である。また、各ダミーゲートに対応して、リフレッシュフレーム期間にはオフカラーに相当する電圧であるダミー走査データＤが出力されるが、ノンリフレッシュフレーム期間にはゲート走査が行われないので、ソース電極駆動回路出力は基本的に表示に無関係であり、任意である。
【００３９】
パーシャル表示領域の表示カラーモードは、例えば、８色モード表示又はフルカラー表示とされる。
【００４０】
図１８の従来例４は、コモン電極電圧Ｖｃｏｍがフレーム交流駆動となっている点のみ、コモン電極電圧Ｖｃｏｍが行間交流駆動である図１６の従来例２と異なっている。
【００４１】
このパーシャル表示の従来例４は、コモン電極電圧Ｖｃｏｍをフレーム交流駆動としたことにより、従来例２と比較して、大幅に消費電力を削減することができる。
【００４２】
しかし、この従来例４においても、コモン電極電圧Ｖｃｏｍがフレーム交流駆動となっているため、低リフレッシュレート時にパーシャル表示領域にフリッカが発生し易いという問題があり、特に、フルカラー表示モードでは顕著である。
【００４３】
図１９は、アクティブマトリクス型液晶表示装置において表示領域の一部領域にパーシャル表示を行う場合における各電極電圧の信号波形の従来例５を示すタイミングチャートである。
【００４４】
このパーシャル表示の従来例５も、全８行の表示領域のうち第３行乃至第６行の４行を使用してパーシャル表示を行う場合の一例である。
【００４５】
従来例５では、コモン電極電圧Ｖｃｏｍは、パーシャル表示領域走査期間は行間交流駆動、オフ領域及びダミーゲート走査期間はフレーム交流駆動とされている。
【００４６】
ソース電極駆動回路からは、パーシャル表示を行う第３行乃至第６行に対応して出力データ３乃至６が出力され、オフ領域となる第１行及び第２行、第７行、第８行に対応して、オフカラー表示を行う出力オフカラーに相当する電圧Ｗが出力され、各ダミーゲートに対応して、オフカラーに相当する電圧であるダミー走査データＤが出力されている。
【００４７】
各行の画素電極及びダミーゲートは、各フレーム期間ごとに順次走査される。従って、このパーシャル表示の従来例５では、全フレーム期間がリフレッシュフレーム期間となっており、オフ領域のリフレッシュレートはパーシャル表示領域と同一である。
【００４８】
パーシャル表示領域の表示カラーモードは、例えば、８色モード表示又はフルカラー表示とされる。
【００４９】
図１９の従来例５は、コモン電極電圧Ｖｃｏｍがパーシャル表示領域走査期間は行間交流駆動、オフ領域及びダミーゲート走査期間はフレーム交流駆動となっている点において、コモン電極電圧Ｖｃｏｍが行間交流駆動である図１５の従来例１、及び、コモン電極電圧Ｖｃｏｍがフレーム交流駆動である図１７の従来例３と異なっており、従来例１及び３の組み合わせということもできる。
【００５０】
このパーシャル表示の従来例５は、上述のようなコモン電極電圧Ｖｃｏｍの駆動方法を採用したことにより、従来例１と比較して、大幅に消費電力を削減することができる。
【００５１】
また、この従来例５は、コモン電極電圧Ｖｃｏｍを全期間フレーム交流駆動ではなく、行間交流駆動及びフレーム交流駆動の組み合わせとしたことにより、従来例３のようなフリッカの発生は防止することができるが、オフ領域及びダミーゲート書き込み期間に対応するフレーム交流駆動期間の長さがパーシャル表示領域書き込み期間の前後において異なる場合には、１行おきのスジが発生する（ｎ行間交流の場合にはｎ行おきのスジが発生する：ｎ≧１、ｎは整数）という問題があり、特に、フルカラー表示モードでは顕著である。
【００５２】
図２０は、アクティブマトリクス型液晶表示装置において表示領域の一部領域にパーシャル表示を行う場合における各電極電圧の信号波形の従来例６を示すタイミングチャートである。
【００５３】
このパーシャル表示の従来例６は、全８行の表示領域のうち第１行乃至第４行の４行を使用してパーシャル表示を行う場合の一例である。
【００５４】
このパーシャル表示の従来例６では、オフ領域のリフレッシュレートはパーシャル表示領域の１／３とされている。従って、従来例６では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【００５５】
また、従来例６では、コモン電極電圧Ｖｃｏｍは、パーシャル表示領域走査期間は行間交流駆動、オフ領域及びダミーゲート走査期間はフレーム交流駆動とされているが、さらに、ノンリフレッシュフレーム期間におけるオフ領域及びダミーゲートに対応する期間は中間電圧とされている。
【００５６】
ソース電極駆動回路からは、パーシャル表示を行う第１行乃至第４行に対応して出力データ１乃至４が出力される。また、オフ領域となる第５行乃至第８行に対応して、リフレッシュフレーム期間にはオフカラー表示を行う出力オフカラーに相当する電圧Ｗがソース電極駆動回路から出力されるが、ノンリフレッシュフレーム期間のデータは任意である。また、各ダミーゲートに対応して、リフレッシュフレーム期間にはオフカラーに相当する電圧であるダミー走査データＤが出力されるが、ノンリフレッシュフレーム期間にはデータは任意である。
【００５７】
パーシャル表示領域の表示カラーモードは、例えば、８色モード表示又はフルカラー表示とされる。
【００５８】
図２０の従来例６は、コモン電極電圧Ｖｃｏｍがパーシャル表示領域走査期間は行間交流駆動、オフ領域及びダミーゲート走査期間はフレーム交流駆動となっており、さらに、ノンリフレッシュフレーム期間におけるオフ領域及びダミーゲートに対応する期間は中間電圧となっている点において、従来例２及び３の組み合わせということもできる。
【００５９】
このパーシャル表示の従来例６は、上述のようなコモン電極電圧Ｖｃｏｍの駆動方法を採用し、かつ、ノンリフレッシュフレーム期間におけるオフ領域及びダミーゲートに対応する期間は中間電圧としたことにより、従来例５と比較して、わずかに消費電力を削減することができる。
【００６０】
この従来例６も、コモン電極電圧Ｖｃｏｍを全期間フレーム交流駆動ではなく、行間交流駆動及びフレーム交流駆動の組み合わせとしたことにより、従来例３のようなフリッカの発生は防止することができる。
【００６１】
しかしながら、オフ領域及びダミーゲート書き込み期間に対応するコモン電極電圧Ｖｃｏｍのフレーム交流駆動期間の正極性又は負極性の極性成分期間、即ち、ハイ（Ｈｉｇｈ）レベル電圧期間又はロー（Ｌｏｗ）レベル電圧期間の長さがパーシャル表示領域書き込み期間の前後で異なっているので（Ａ≠Ｂ）、１行おきのスジが発生する（ｎ行間交流の場合にはｎ行おきのスジが発生する：ｎ≧１、ｎは整数）という問題があり、特に、フルカラー表示モードでは顕著である。
【００６２】
図２１は、アクティブマトリクス型液晶表示装置において表示領域の一部領域にパーシャル表示を行う場合における各電極電圧の信号波形の従来例７を示すタイミングチャートである。
【００６３】
このパーシャル表示の従来例７は、全８行の表示領域のうち第３行乃至第６行の４行を使用してパーシャル表示を行う場合の一例である。
【００６４】
このパーシャル表示の従来例７では、オフ領域のリフレッシュレートはパーシャル表示領域の１／３とされている。従って、従来例７では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【００６５】
また、従来例７では、コモン電極電圧Ｖｃｏｍは、パーシャル表示領域走査期間は行間交流駆動、オフ領域及びダミーゲート走査期間はフレーム交流駆動とされているが、さらに、ノンリフレッシュフレーム期間におけるオフ領域及びダミーゲートに対応する期間は中間電圧とされている。
【００６６】
ソース電極駆動回路からは、パーシャル表示を行う第３行乃至第６行に対応して出力データ３乃至６が出力される。また、オフ領域となる第１行及び第２行、第７行、第８行に対応して、リフレッシュフレーム期間にはオフカラー表示を行う出力オフカラーに相当する電圧Ｗがソース電極駆動回路から出力されるが、ノンリフレッシュフレーム期間のデータは任意である。また、各ダミーゲートに対応して、リフレッシュフレーム期間にはオフカラーに相当する電圧であるダミー走査データＤが出力されるが、ノンリフレッシュフレーム期間にはデータは任意である。
【００６７】
パーシャル表示領域の表示カラーモードは、例えば、８色モード表示又はフルカラー表示とされる。
【００６８】
図２１の従来例７は、コモン電極電圧Ｖｃｏｍがパーシャル表示領域走査期間は行間交流駆動、オフ領域及びダミーゲート走査期間はフレーム交流駆動となっており、さらに、ノンリフレッシュフレーム期間におけるオフ領域及びダミーゲートに対応する期間は中間電圧となっている点において、従来例６と全く同様である。
【００６９】
従って、このパーシャル表示の従来例７は、上述のようなコモン電極電圧Ｖｃｏｍの駆動方法を採用し、かつ、ノンリフレッシュフレーム期間におけるオフ領域及びダミーゲートに対応する期間は中間電圧としたことにより、従来例５と比較して、わずかに消費電力を削減することができる。
【００７０】
また、この従来例７も、コモン電極電圧Ｖｃｏｍを全期間フレーム交流駆動ではなく、行間交流駆動及びフレーム交流駆動の組み合わせとし、かつ、ノンリフレッシュフレーム期間におけるオフ領域及びダミーゲートに対応する期間は中間電圧としたことにより、従来例３のようなフリッカの発生は防止することができる。
【００７１】
さらに、この従来例７は、従来例６とは相違して、オフ領域及びダミーゲート書き込み期間に対応するコモン電極電圧Ｖｃｏｍのフレーム交流駆動期間の正極性又は負極性の極性成分期間、即ち、ハイレベル電圧期間又はローレベル電圧期間の長さがパーシャル表示領域書き込み期間の前後で等しいので（Ａ＝Ｂ）、１行おきのスジが発生する（ｎ行間交流の場合にはｎ行おきのスジが発生する：ｎ≧１、ｎは整数）という問題が発生しない。
【００７２】
従って、パーシャル表示領域がたまたま全表示領域の中央に位置していて、上述のようなコモン電極電圧Ｖｃｏｍの駆動方法を採用したことにより、例外的にフリッカやスジが発生しない従来例７の構成は、従来のアクティブマトリクス型液晶表示装置の駆動方法における問題を解決する上でのヒントとなり得る。
【００７３】
本発明の目的は、アクティブマトリクス型液晶表示装置の全表示領域における任意の位置にパーシャル表示領域を設定してもフリッカやスジの発生を防止することができるとともに、省電力化も図ることができるアクティブマトリクス型液晶表示装置の駆動方法を提供することである。
【課題を解決するための手段】
【００７４】
本発明に係るアクティブマトリクス型液晶表示装置の駆動方法の一態様によれば、表示領域の一部領域に表示する、パーシャル表示を行う場合のアクティブマトリクス型液晶表示装置の駆動方法であって、コモン電極電圧を、パーシャル表示領域書き込み期間は行間交流駆動、パーシャル表示領域以外の書き込み期間の少なくとも一部はフレーム交流駆動とするとともに、上記パーシャル表示領域以外の書き込み期間であるフレーム交流駆動期間のうち、上記パーシャル表示領域書き込み期間の前後のいずれか一方の正極性又は負極性の同一極性成分期間の長さを調節して、上記パーシャル表示領域書き込み期間の前後における上記フレーム交流駆動期間の正極性又は負極性の同一極性成分期間の長さが等しくなるように、上記コモン電極電圧を制御することを特徴とするアクティブマトリクス型液晶表示装置の駆動方法が提供される。
【００７５】
本発明に係るアクティブマトリクス型液晶表示装置の駆動方法の上記一態様において、上記パーシャル表示領域以外の書き込み期間であるフレーム交流駆動期間のうち、上記パーシャル表示領域書き込み期間の前後のいずれか一方の正極性又は負極性の同一極性成分期間の一部を、正極性コモン電圧と負極性コモン電圧との中間電圧を印加する中間電圧期間と置き換えて短縮することにより、上記パーシャル表示領域書き込み期間の前後における上記フレーム交流駆動期間の正極性又は負極性の同一極性成分期間の長さが等しくなるように、上記コモン電極電圧を制御するものとするとよい。
【００７６】
本発明に係るアクティブマトリクス型液晶表示装置の駆動方法の上記一態様において、上記パーシャル表示領域以外の書き込み期間であるフレーム交流駆動期間のうち、上記パーシャル表示領域書き込み期間の前後のいずれか一方の正極性又は負極性の同一極性成分期間を延長することにより、上記パーシャル表示領域書き込み期間の前後における上記フレーム交流駆動期間の正極性又は負極性の同一極性成分期間の長さが等しくなるように、上記コモン電極電圧を制御するものとするとよい。
【００７７】
置き換えた上記中間電圧期間にオフ領域書き込み期間が含まれていた場合、上記中間電圧期間に対応するオフ領域の画素電極に対して、リフレッシュフレーム期間には、ソース電極駆動回路出力電圧の正書き込み電圧と負書き込み電圧との中間電圧がソース電極駆動回路から出力されるものとするとよい。
【００７８】
置き換えた上記中間電圧期間にダミーゲート書き込み期間が含まれていた場合、上記中間電圧期間に対応するダミーゲートに対して、リフレッシュフレーム期間には、ソース電極駆動回路出力電圧の正書き込み電圧と負書き込み電圧との中間電圧がソース電極駆動回路から出力されるものとするとよい。
【００７９】
本発明に係るアクティブマトリクス型液晶表示装置の駆動方法の他の態様によれば、表示領域の一部領域に表示する、パーシャル表示を行う場合のアクティブマトリクス型液晶表示装置の駆動方法であって、コモン電極電圧を、パーシャル表示領域書き込み期間は行間交流駆動、パーシャル表示領域以外の書き込み期間は正極性コモン電圧と負極性コモン電圧との中間電圧として、上記パーシャル表示領域書き込み期間の前後における正極性又は負極性の同一極性成分期間の長さが等しくゼロになるように、上記コモン電極電圧を制御することを特徴とするアクティブマトリクス型液晶表示装置の駆動方法が提供される。
【００８０】
本発明に係るアクティブマトリクス型液晶表示装置の駆動方法の上記他の態様において、上記コモン電極電圧が中間電圧とされる中間電圧期間にオフ領域書き込み期間が含まれていた場合、上記中間電圧期間に対応するオフ領域の画素電極に対して、リフレッシュフレーム期間には、ソース電極駆動回路出力電圧の正書き込み電圧と負書き込み電圧との中間電圧がソース電極駆動回路から出力されるものとするとよい。
【００８１】
上記コモン電極電圧が中間電圧とされる中間電圧期間にダミーゲート書き込み期間が含まれていた場合、上記中間電圧期間に対応するダミーゲートに対して、リフレッシュフレーム期間には、ソース電極駆動回路出力電圧の正書き込み電圧と負書き込み電圧との中間電圧がソース電極駆動回路から出力されるものとするとよい。
【００８２】
本発明に係るアクティブマトリクス型液晶表示装置の駆動方法の上記各態様において、パーシャル表示領域を構成する画素行数を奇数行とするとよい。
【００８３】
上記パーシャル表示領域を構成する画素行数を奇数行とするために付加した一行の画素電極に対し、ソース電極駆動回路からオフカラーデータに相当する電圧を出力するものとするとよい。
【００８４】
上記オフ領域のノンリフレッシュフレーム期間には、上記パーシャル表示領域を構成する画素行数を奇数行とするために付加した一行の画素電極を除く上記パーシャル表示領域の画素電極のみ走査を行うものとするとよい。
【００８５】
上記オフ領域のノンリフレッシュフレーム期間における上記パーシャル表示領域書き込み期間以外の期間には、ソース電極に正書き込み電圧と負書き込み電圧との中間電圧を印加するものとするとよい。
【００８６】
上記オフ領域のノンリフレッシュフレーム期間における上記パーシャル表示領域書き込み期間以外の期間には、ソース電極駆動回路出力をハイインピーダンスに設定するものとするとよい。
【００８７】
上記オフ領域のノンリフレッシュフレーム期間における上記パーシャル表示領域書き込み期間以外の期間には、ソース電極に正書き込み電圧と負書き込み電圧との中間電圧を印加してから、ソース電極駆動回路出力をハイインピーダンスに設定するものとするとよい。
【発明の効果】
【００８８】
本発明に係るアクティブマトリクス型液晶表示装置の駆動方法の一態様は、上記構成により、アクティブマトリクス型液晶表示装置の全表示領域における任意の位置にパーシャル表示領域を設定してもフリッカやスジの発生を防止することができるとともに、省電力化も図ることができる。
【発明を実施するための最良の形態】
【００８９】
以下、本発明に係るアクティブマトリクス型液晶表示装置の駆動方法の実施の形態について、図面を参照しながら説明する。
【００９０】
本発明に係るアクティブマトリクス型液晶表示装置の駆動方法の実施の各形態についての説明でも、説明の簡略化のため、表示領域全体が８行の画素により構成されているものと仮定している。表示領域の最初の行である第１行の前の行、及び、表示領域の最後の行である第８行の後の行には、ダミー走査用のダミーゲートが配設されている。
【００９１】
図１は、本発明の第１の実施の形態に係るアクティブマトリクス型液晶表示装置の駆動方法により表示領域の一部領域にパーシャル表示を行う場合における各電極電圧の信号波形を示すタイミングチャートである。
【００９２】
本発明の第１の実施の形態は、全８行の表示領域のうち第１行乃至第４行の４行を使用してパーシャル表示を行う場合の一例である。
【００９３】
この第１の実施の形態では、オフ領域のリフレッシュレートはパーシャル表示領域の１／３とされている。従って、第１の実施の形態では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【００９４】
ソース電極駆動回路からは、パーシャル表示を行う第１行乃至第４行に対して出力データ１乃至４が出力される。オフ領域となる第５行乃至第８行のうち第５行に対して、リフレッシュフレーム期間にはオフカラー表示を行う出力オフカラーに相当する電圧Ｗがソース電極駆動回路から出力されるが、ノンリフレッシュフレーム期間にはデータは任意である。また、オフ領域となる第５行乃至第８行のうち、後述するようにコモン電極電圧Ｖｃｏｍが正極性コモン電圧と負極性コモン電圧との中間電圧とされる中間電圧期間に対応する第６行乃至第８行に対して、リフレッシュフレーム期間には、オフカラー表示を行う出力オフカラーに相当する電圧Ｗではなくソース電極の中間電圧Ｃがソース電極駆動回路から出力されるが、ノンリフレッシュフレーム期間にはデータは任意である。
【００９５】
各ダミーゲートのうち、表示領域の最初の行である第１行の前の第０行のダミーゲートに対して、リフレッシュフレーム期間にはオフカラーに相当する電圧であるダミー走査データＤが出力されるが、ノンリフレッシュフレーム期間にはデータは任意である。また、表示領域の最後の行である第８行の後の第９行のダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。
【００９６】
第９行のダミーゲートに対してリフレッシュフレーム期間にソース電極の中間電圧であるダミー走査データｄが出力されるようにしている理由は、後述するように、オフ領域及びダミーゲート書き込み期間に対応するコモン電極電圧Ｖｃｏｍのフレーム交流駆動期間のうち、パーシャル表示領域書き込み期間の前後の正極性又は負極性の同一極性成分期間の一部を中間電圧期間に置き換えて、その同一極性成分期間の長さを調整する関係上、そのコモン電極電圧Ｖｃｏｍの中間電圧期間に対応する第９行のダミーゲートに対しては、ソース電極の中間電圧であるダミー走査データｄを出力する方が省電力化を図ることにもなるからである。
【００９７】
パーシャル表示領域の表示カラーモードは、例えば、８色モード表示又はフルカラー表示とされる。
【００９８】
第１の実施の形態では、コモン電極電圧Ｖｃｏｍは、パーシャル表示領域走査期間（パーシャル表示領域書き込み期間）は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、特徴的な点は、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ＝Ｂ’）なるようにしている点である。
【００９９】
具体的には、パーシャル表示領域以外の書き込み期間であるフレーム交流駆動期間のうち、パーシャル表示領域書き込み期間の前後のいずれか長い方の正極性又は負極性の同一極性成分期間（ここでは期間Ｂ）の一部を中間電圧期間に置き換えて短縮することにより（Ｂ’）、本来ならば異なっていた（Ａ≠Ｂ）両者の長さが等しく（Ａ＝Ｂ’）なるようにしている。
【０１００】
このように、コモン電極電圧Ｖｃｏｍのフレーム交流駆動期間のうち、パーシャル表示領域書き込み期間の前後の正極性又は負極性の同一極性成分期間の一部を中間電圧期間に置き換えたこととの関係上、置き換えられた中間電圧期間に対応する第９行のダミーゲートに対しては、リフレッシュフレーム期間には、前述のように、オフカラーに相当する電圧ではなくソース電極の中間電圧であるダミー走査データｄが出力される。
【０１０１】
本発明の第１の実施の形態に係るアクティブマトリクス型液晶表示装置の駆動方法は、上記構成により、従来の技術の問題点であった１行おきのスジの発生（ｎ行間交流の場合にはｎ行おきのスジの発生：ｎ≧１、ｎは整数）を防止することができる。
【０１０２】
尚、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが完全に等しく（Ａ＝Ｂ’）なるようにすることが最もスジの発生を抑制できる条件であるが、完全に等しくなくてもスジの発生は抑制可能であるので、本実施の形態における「等しい」とは、完全に等しい状態のみを指すのではなく、スジを抑制することを意図して等しい状態に近づけることを含むものとする。これは、以下の他の実施の形態においても同様である。
【０１０３】
また、コモン電極電圧Ｖｃｏｍは、基本的には行間交流駆動及びフレーム交流駆動の組み合わせであるので、フリッカの発生も防止することができる。
【０１０４】
さらに、この第１の実施の形態においては、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１０５】
図２は、本発明の第２の実施の形態に係るアクティブマトリクス型液晶表示装置の駆動方法により表示領域の一部領域にパーシャル表示を行う場合における各電極電圧の信号波形を示すタイミングチャートである。
【０１０６】
本発明の第２の実施の形態は、全８行の表示領域のうち第４行乃至第６行の３行を使用してパーシャル表示を行う場合の一例である。
【０１０７】
この第２の実施の形態では、オフ領域のリフレッシュレートはパーシャル表示領域の１／３とされている。従って、第２の実施の形態では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【０１０８】
ソース電極駆動回路からは、パーシャル表示を行う第４行乃至第６行に対して出力データ４乃至６が出力される。また、オフ領域となる第１行乃至第３行及び第７行乃至第８行に対して、リフレッシュフレーム期間にはオフカラー表示を行う出力オフカラーに相当する電圧Ｗがソース電極駆動回路から出力されるが、ノンリフレッシュフレーム期間にはデータは任意である。
【０１０９】
各ダミーゲートのうち、表示領域の最初の行である第１行の前の第０行のダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。第０行のダミーゲートに対してソース電極の中間電圧であるダミー走査データｄが出力されるようにしている理由は、前述した通りである。また、表示領域の最後の行である第８行の後の第９行のダミーゲートに対して、リフレッシュフレーム期間にはオフカラーに相当する電圧であるダミー走査データＤが出力されるが、ノンリフレッシュフレーム期間にはデータは任意である。
【０１１０】
パーシャル表示領域の表示カラーモードは、例えば、８色モード表示又はフルカラー表示とされる。
【０１１１】
第２の実施の形態でも、コモン電極電圧Ｖｃｏｍは、パーシャル表示領域走査期間（パーシャル表示領域書き込み期間）は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、特徴的な点は、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ’＝Ｂ）なるようにしている点である。
【０１１２】
具体的には、パーシャル表示領域以外の書き込み期間であるフレーム交流駆動期間のうち、パーシャル表示領域書き込み期間の前後のいずれか長い方の正極性又は負極性の同一極性成分期間（ここでは期間Ａ）の一部を中間電圧期間に置き換えて短縮することにより（Ａ’）、本来ならば異なっていた（Ａ≠Ｂ）両者の長さが等しく（Ａ’＝Ｂ）なるようにしている。
【０１１３】
このように、コモン電極電圧Ｖｃｏｍのフレーム交流駆動期間のうち、パーシャル表示領域書き込み期間の前後の正極性又は負極性の同一極性成分期間の一部を中間電圧期間に置き換えたこととの関係上、置き換えられた中間電圧期間に対応する第０行のダミーゲートに対しては、リフレッシュフレーム期間には、前述のように、オフカラーに相当する電圧ではなくソース電極の中間電圧であるダミー走査データｄが出力される。
【０１１４】
本発明の第２の実施の形態に係るアクティブマトリクス型液晶表示装置の駆動方法も、上記構成により、従来の技術の問題点であった１行おきのスジの発生（ｎ行間交流の場合にはｎ行おきのスジの発生：ｎ≧１、ｎは整数）を防止することができる。
【０１１５】
また、コモン電極電圧Ｖｃｏｍは、基本的には行間交流駆動及びフレーム交流駆動の組み合わせであるので、フリッカの発生も防止することができる。
【０１１６】
さらに、この第２の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１１７】
図３は、本発明の第３の実施の形態に係るアクティブマトリクス型液晶表示装置の駆動方法により表示領域の一部領域にパーシャル表示を行う場合における各電極電圧の信号波形を示すタイミングチャートである。
【０１１８】
本発明の第３の実施の形態も、第２の実施の形態と同様に、全８行の表示領域のうち第４行乃至第６行の３行を使用してパーシャル表示を行う場合の一例である。
【０１１９】
この第３の実施の形態でも、オフ領域のリフレッシュレートはパーシャル表示領域の１／３とされている。従って、第３の実施の形態でも、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【０１２０】
ソース電極駆動回路からは、パーシャル表示を行う第４行乃至第６行に対して出力データ４乃至６が出力される。また、オフ領域となる第１行乃至第３行及び第７行乃至第８行に対して、リフレッシュフレーム期間にはオフカラー表示を行う出力オフカラーに相当する電圧Ｗがソース電極駆動回路から出力されるが、ノンリフレッシュフレーム期間にはデータは任意である。また、各ダミーゲートに対して、リフレッシュフレーム期間にはオフカラーに相当する電圧であるダミー走査データＤが出力されるが、ノンリフレッシュフレーム期間にはデータは任意である。
【０１２１】
パーシャル表示領域の表示カラーモードは、例えば、８色モード表示又はフルカラー表示とされる。
【０１２２】
第３の実施の形態でも、コモン電極電圧Ｖｃｏｍは、パーシャル表示領域走査期間（パーシャル表示領域書き込み期間）は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、特徴的な点は、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ＝Ｂ’）なるようにしている点である。
【０１２３】
具体的には、パーシャル表示領域以外の書き込み期間であるフレーム交流駆動期間のうち、パーシャル表示領域書き込み期間の前後のいずれか短い方の正極性又は負極性の同一極性成分期間（ここでは期間Ｂ）に連続している中間電圧期間の一部を当該同一極性成分期間と同一の極性成分期間に置き換えて延長することにより（Ｂ’）、本来ならば異なっていた（Ａ≠Ｂ）両者の長さが等しく（Ａ＝Ｂ’）なるようにしている。
【０１２４】
本発明の第３の実施の形態に係るアクティブマトリクス型液晶表示装置の駆動方法も、上記構成により、従来の技術の問題点であった１行おきのスジの発生（ｎ行間交流の場合にはｎ行おきのスジの発生：ｎ≧１、ｎは整数）を防止することができる。
【０１２５】
また、コモン電極電圧Ｖｃｏｍは、基本的には行間交流駆動及びフレーム交流駆動の組み合わせであるので、フリッカの発生も防止することができる。
【０１２６】
さらに、この第３の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１２７】
図４は、本発明の第４の実施の形態に係るアクティブマトリクス型液晶表示装置の駆動方法により表示領域の一部領域にパーシャル表示を行う場合における各電極電圧の信号波形を示すタイミングチャートである。
【０１２８】
本発明の第４の実施の形態は、全８行の表示領域のうち第１行乃至第４行の４行を使用してパーシャル表示を行う場合の一例である。
【０１２９】
この第４の実施の形態でも、オフ領域のリフレッシュレートはパーシャル表示領域の１／３とされている。従って、第４の実施の形態でも、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【０１３０】
ソース電極駆動回路からは、パーシャル表示を行う第１行乃至第４行に対して出力データ１乃至４が出力される。また、オフ領域となる第５行乃至第８行に対して、リフレッシュフレーム期間には、オフカラー表示を行う出力オフカラーに相当する電圧Ｗではなくソース電極の中間電圧Ｃがソース電極駆動回路から出力されるが、ノンリフレッシュフレーム期間にはデータは任意である。
【０１３１】
また、各ダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。
【０１３２】
オフ領域となる第５行乃至第８行に対してソース電極の中間電圧Ｃが出力されるようにし、各ダミーゲートに対してソース電極の中間電圧であるダミー走査データｄが出力されるようにしている理由は、後述するように、第４の実施の形態では、コモン電極電圧Ｖｃｏｍがオフ領域及びダミーゲート走査期間（オフ領域及びダミーゲート書き込み期間）はフレーム交流駆動ではなく総て中間電圧とされているため、そのコモン電極電圧Ｖｃｏｍの中間電圧期間に対応するオフ領域の画素電極及び各ダミーゲートに対しては、ソース電極の中間電圧である電圧Ｃ及びダミー走査データｄを出力する方が省電力化を図ることにもなるからである。
【０１３３】
パーシャル表示領域の表示カラーモードは、例えば、８色モード表示又はフルカラー表示とされる。
【０１３４】
第４の実施の形態では、コモン電極電圧Ｖｃｏｍは、パーシャル表示領域走査期間（パーシャル表示領域書き込み期間）は行間交流駆動とされているが、パーシャル表示領域以外の走査期間（パーシャル表示領域以外の書き込み期間）はフレーム交流駆動ではなく総て中間電圧とされている点が特徴的な点であり、ノンリフレッシュフレーム期間におけるオフ領域及びダミーゲートに対応する期間も中間電圧とされている。
【０１３５】
即ち、第４の実施の形態では、パーシャル表示領域以外の書き込み期間がフレーム交流駆動期間であれば、パーシャル表示領域書き込み期間の前後に存在していた正極性又は負極性の同一極性成分期間、即ち、ハイレベル電圧期間又はローレベル電圧期間を総て中間電圧期間に置き換え、極性成分期間を排除してゼロとすることにより、結果として、パーシャル表示領域書き込み期間の前後の同一極性成分期間の長さが等しくゼロになるようにしている。
【０１３６】
このように、オフ領域及びダミーゲート書き込み期間におけるコモン電極電圧Ｖｃｏｍを総て中間電圧に置き換えたこととの関係上、前述のように、置き換えられた中間電圧期間に対応する各ダミーゲートに対して、リフレッシュフレーム期間には、オフカラーに相当する電圧ではなくソース電極の中間電圧であるダミー走査データｄが出力され、オフ領域となる第５行乃至第８行に対して、リフレッシュフレーム期間には、オフカラー表示を行う出力オフカラーに相当する電圧Ｗではなくソース電極の中間電圧Ｃがソース電極駆動回路から出力される。
【０１３７】
本発明の第４の実施の形態に係るアクティブマトリクス型液晶表示装置の駆動方法は、上記構成により、従来の技術の問題点であった１行おきのスジの発生（ｎ行間交流の場合にはｎ行おきのスジの発生：ｎ≧１、ｎは整数）を防止することができる。
【０１３８】
また、コモン電極電圧Ｖｃｏｍは、行間交流駆動及び中間電圧の組み合わせであるので、フリッカの発生も防止することができる。
【０１３９】
さらに、この第４の実施の形態においては、上述のようなコモン電極電圧Ｖｃｏｍの駆動方法を採用したことに加えて、ノンリフレッシュフレーム期間におけるオフ領域及びダミーゲートに対応する期間も中間電圧としてノンリフレッシュフレーム期間における画素電極走査とソース電極駆動回路からのデータ出力変化とを必要最小限に留めているので、低消費電力化も図ることができる。
【０１４０】
図５は、本発明の第５の実施の形態に係るアクティブマトリクス型液晶表示装置の駆動方法により表示領域の一部領域にパーシャル表示を行う場合における各電極電圧の信号波形を示すタイミングチャートである。
【０１４１】
本発明の第５の実施の形態は、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０１４２】
即ち、パーシャル表示領域として使用する画素行数を意図的に奇数行に設定する点が、本発明の第５の実施の形態における特徴点である。
【０１４３】
この第５の実施の形態では、オフ領域のリフレッシュレートはパーシャル表示領域の１／３とされている。従って、第５の実施の形態では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【０１４４】
ソース電極駆動回路からは、パーシャル表示を行う第３行乃至第７行に対して出力データ３乃至７が出力される。また、オフ領域となる第１行乃至第２行及び第８行に対して、リフレッシュフレーム期間にはオフカラー表示を行う出力オフカラーに相当する電圧Ｗがソース電極駆動回路から出力されるが、ノンリフレッシュフレーム期間にはデータは任意である。
【０１４５】
各ダミーゲートのうち、表示領域の最初の行である第１行の前の第０行のダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。第０行のダミーゲートに対してソース電極の中間電圧であるダミー走査データｄが出力されるようにしている理由は、前述した通りである。また、表示領域の最後の行である第８行の後の第９行のダミーゲートに対して、リフレッシュフレーム期間にはオフカラーに相当する電圧であるダミー走査データＤが出力されるが、ノンリフレッシュフレーム期間にはデータは任意である。
【０１４６】
パーシャル表示領域の表示カラーモードは、例えば、８色モード表示又はフルカラー表示とされる。
【０１４７】
第５の実施の形態では、コモン電極電圧Ｖｃｏｍは、パーシャル表示領域走査期間（パーシャル表示領域書き込み期間）は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、オフ領域及びダミーゲート書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ’＝Ｂ）なるようにしている。
【０１４８】
具体的には、パーシャル表示領域以外の書き込み期間であるフレーム交流駆動期間のうち、パーシャル表示領域書き込み期間の前後のいずれか長い方の正極性又は負極性の同一極性成分期間の一部を中間電圧期間に置き換えて短縮することにより（Ａ’）、本来ならば異なっていた両者の長さが等しく（Ａ’＝Ｂ）なるようにしている。
【０１４９】
このように、コモン電極電圧Ｖｃｏｍのフレーム交流駆動期間のうち、パーシャル表示領域書き込み期間の前後の正極性又は負極性の同一極性成分期間の一部を中間電圧期間に置き換えたこととの関係上、置き換えられた中間電圧期間に対応する第０行のダミーゲートに対しては、リフレッシュフレーム期間には、前述のように、オフカラーに相当する電圧ではなくソース電極の中間電圧であるダミー走査データｄが出力される。
【０１５０】
本発明の第５の実施の形態に係るアクティブマトリクス型液晶表示装置の駆動方法は、第１乃至第３の実施の形態と同様の上記構成により、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における各行の保持動作期間中の極性反転回数を偶数回として極性反転動作のバランスを取るようにしたので、さらに、スジが発生し難くなる。
【０１５１】
また、コモン電極電圧Ｖｃｏｍは、基本的には行間交流駆動及びフレーム交流駆動の組み合わせであるので、フリッカの発生も防止することができる。
【０１５２】
さらに、この第５の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１５３】
図６は、本発明の第６の実施の形態に係るアクティブマトリクス型液晶表示装置の駆動方法により表示領域の一部領域にパーシャル表示を行う場合における各電極電圧の信号波形を示すタイミングチャートである。
【０１５４】
本発明の第６の実施の形態も、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０１５５】
即ち、本発明の第６の実施の形態は、第５の実施の形態と同様に、パーシャル表示領域として使用する画素行数を意図的に奇数行に設定することを特徴点の一つとして有しており、それに加えて、後述するように、第４の実施の形態と同様のコモン電極電圧Ｖｃｏｍの駆動を行うことをもう一つの特徴点として有するものである。
【０１５６】
この第６の実施の形態でも、オフ領域のリフレッシュレートはパーシャル表示領域の１／３とされている。従って、第６の実施の形態では、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。
【０１５７】
ソース電極駆動回路からは、パーシャル表示を行う第３行乃至第７行に対して出力データ３乃至７が出力される。また、オフ領域となる第１行乃至第２行及び第８行に対して、リフレッシュフレーム期間には、オフカラー表示を行う出力オフカラーに相当する電圧Ｗではなくソース電極の中間電圧Ｃがソース電極駆動回路から出力されるが、ノンリフレッシュフレーム期間にはデータは任意である。
【０１５８】
また、各ダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。
【０１５９】
オフ領域となる第５行乃至第８行に対してソース電極の中間電圧Ｃが出力されるようにし、各ダミーゲートに対してソース電極の中間電圧であるダミー走査データｄが出力されるようにしている理由は、第４の実施の形態において前述した通りである。
【０１６０】
パーシャル表示領域の表示カラーモードは、例えば、８色モード表示又はフルカラー表示とされる。
【０１６１】
第６の実施の形態では、第４の実施の形態と同様に、コモン電極電圧Ｖｃｏｍは、パーシャル表示領域走査期間（パーシャル表示領域書き込み期間）は行間交流駆動とされているが、パーシャル表示領域以外の走査期間（パーシャル表示領域以外の書き込み期間）はフレーム交流駆動ではなく総て中間電圧とされている点がもう一つの特徴的な点であり、ノンリフレッシュフレーム期間におけるオフ領域及びダミーゲートに対応する期間は中間電圧とされている。
【０１６２】
即ち、第６の実施の形態では、パーシャル表示領域以外の書き込み期間がフレーム交流駆動期間であれば、パーシャル表示領域書き込み期間の前後に存在していた正極性又は負極性の同一極性成分期間、即ち、ハイレベル電圧期間又はローレベル電圧期間を総て中間電圧期間に置き換え、極性成分期間を排除してゼロとすることにより、結果として、パーシャル表示領域書き込み期間の前後の同一極性成分期間の長さが等しくゼロになるようにしている。
【０１６３】
このように、オフ領域及びダミーゲート書き込み期間におけるコモン電極電圧Ｖｃｏｍを総て中間電圧に置き換えたこととの関係上、前述のように、置き換えられた中間電圧期間に対応する各ダミーゲートに対して、リフレッシュフレーム期間には、オフカラーに相当する電圧ではなくソース電極の中間電圧であるダミー走査データｄが出力され、オフ領域となる第５行乃至第８行に対して、リフレッシュフレーム期間には、オフカラー表示を行う出力オフカラーに相当する電圧Ｗではなくソース電極の中間電圧Ｃがソース電極駆動回路から出力される。
【０１６４】
本発明の第６の実施の形態に係るアクティブマトリクス型液晶表示装置の駆動方法も、上記構成により、第５の実施の形態と同様に、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における各行の保持動作期間中の極性反転回数を偶数回として極性反転動作のバランスを取るようにしたので、さらに、スジが発生し難くなる。
【０１６５】
また、コモン電極電圧Ｖｃｏｍは、行間交流駆動及び中間電圧の組み合わせであるので、フリッカの発生も防止することができる。
【０１６６】
さらに、この第６の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１６７】
図７は、本発明の第７の実施の形態に係るアクティブマトリクス型液晶表示装置の駆動方法により表示領域の一部領域にパーシャル表示を行う場合における各電極電圧の信号波形を示すタイミングチャートである。
【０１６８】
本発明の第７の実施の形態も、第５の実施の形態と同様に、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０１６９】
即ち、本発明の第７の実施の形態においても、第５の実施の形態と同様に、パーシャル表示領域として使用する画素行数を意図的に奇数行に設定している。
【０１７０】
但し、本発明の第７の実施の形態においては、意図的に付加した一行である第７行がパーシャル表示領域における実際の画像等の情報表示には不要である場合を考慮して、後述するように、第７行の画素電極に対しては、オフカラー表示を行う付加オフカラー行データｗがソース電極駆動回路から出力される。この点において、本発明の第７の実施の形態は、第５の実施の形態と相違している。
【０１７１】
この第７の実施の形態でも、オフ領域のリフレッシュレートはパーシャル表示領域の１／３とされている。従って、第７の実施の形態でも、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。尚、パーシャル表示領域に付加された第７行の画素電極もパーシャル表示領域の一部を構成する画素電極として同様に走査される。
【０１７２】
ソース電極駆動回路からは、パーシャル表示を行う第３行乃至第７行のうち実際の画像等の情報表示を行う第３行乃至第６行に対して出力データ３乃至６が出力される一方、実際の画像等の情報表示には不要である第７行に対して、上述のように、オフカラー表示を行う付加オフカラー行データｗが出力される。また、オフ領域となる第１行乃至第２行及び第８行に対して、リフレッシュフレーム期間にはオフカラー表示を行う出力オフカラーに相当する電圧Ｗがソース電極駆動回路から出力されるが、ノンリフレッシュフレーム期間にはデータは任意である。
【０１７３】
各ダミーゲートのうち、表示領域の最初の行である第１行の前の第０行のダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。第０行のダミーゲートに対してソース電極の中間電圧であるダミー走査データｄが出力されるようにしている理由は、前述した通りである。また、表示領域の最後の行である第８行の後の第９行のダミーゲートに対して、リフレッシュフレーム期間にはオフカラーに相当する電圧であるダミー走査データＤが出力されるが、ノンリフレッシュフレーム期間にはデータは任意である。
【０１７４】
パーシャル表示領域の表示カラーモードは、例えば、８色モード表示又はフルカラー表示とされる。
【０１７５】
第７の実施の形態では、第５の実施の形態と同様に、コモン電極電圧Ｖｃｏｍは、パーシャル表示領域走査期間（パーシャル表示領域書き込み期間）は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ’＝Ｂ）なるようにしている。
【０１７６】
具体的には、パーシャル表示領域以外の書き込み期間であるフレーム交流駆動期間のうち、パーシャル表示領域書き込み期間の前後のいずれか長い方の正極性又は負極性の同一極性成分期間の一部を中間電圧期間に置き換えて短縮することにより（Ａ’）、本来ならば異なっていた両者の長さが等しく（Ａ’＝Ｂ）なるようにしている。
【０１７７】
このように、コモン電極電圧Ｖｃｏｍのフレーム交流駆動期間のうち、パーシャル表示領域書き込み期間の前後の正極性又は負極性の同一極性成分期間の一部を中間電圧期間に置き換えたこととの関係上、置き換えられた中間電圧期間に対応する第０行のダミーゲートに対しては、リフレッシュフレーム期間には、前述のように、オフカラーに相当する電圧ではなくソース電極の中間電圧であるダミー走査データｄが出力される。
【０１７８】
本発明の第７の実施の形態に係るアクティブマトリクス型液晶表示装置の駆動方法は、パーシャル表示領域に付加した一行である第７行をオフカラー表示とした点のみ第５の実施の形態と相違しているが、その他の点は第５の実施の形態と同様の構成であり、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における極性反転回数を偶数回として極性反転動作のバランスを取るようにしたので、さらに、スジが発生し難くなる。
【０１７９】
また、コモン電極電圧Ｖｃｏｍは、基本的には行間交流駆動及びフレーム交流駆動の組み合わせであるので、フリッカの発生も防止することができる。
【０１８０】
さらに、この第７の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１８１】
図８は、本発明の第８の実施の形態に係るアクティブマトリクス型液晶表示装置の駆動方法により表示領域の一部領域にパーシャル表示を行う場合における各電極電圧の信号波形を示すタイミングチャートである。
【０１８２】
本発明の第８の実施の形態も、第５及び第６の実施の形態と同様に、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０１８３】
即ち、本発明の第８の実施の形態においても、第５及び第６の実施の形態と同様に、パーシャル表示領域として使用する画素行数を意図的に奇数行に設定している。
【０１８４】
但し、本発明の第８の実施の形態においては、第７の実施の形態と同様に、意図的に付加した一行である第７行がパーシャル表示領域における実際の画像等の情報表示には不要である場合を考慮して、後述するように、第７行の画素電極に対しては、オフカラー表示を行う付加オフカラー行データｗがソース電極駆動回路から出力される。
【０１８５】
この第８の実施の形態でも、オフ領域のリフレッシュレートはパーシャル表示領域の１／３とされている。従って、第８の実施の形態でも、オフ領域のリフレッシュフレーム期間である第１フレームでは全行の画素電極及びダミーゲートが順次走査され、オフ領域のノンリフレッシュフレーム期間である第２，第３フレームではパーシャル表示領域の画素電極のみが順次走査される。尚、パーシャル表示領域に付加された第７行の画素電極もパーシャル表示領域の一部を構成する画素電極として同様に走査される。
【０１８６】
ソース電極駆動回路からは、パーシャル表示を行う第３行乃至第７行のうち実際の画像等の情報表示を行う第３行乃至第６行に対して出力データ３乃至６が出力される一方、実際の画像等の情報表示には不要である第７行に対して、上述のように、オフカラー表示を行う付加オフカラー行データｗが出力される。また、オフ領域となる第１行乃至第２行及び第８行に対して、リフレッシュフレーム期間には、オフカラー表示を行う出力オフカラーに相当する電圧Ｗではなくソース電極の中間電圧Ｃがソース電極駆動回路から出力されるが、ノンリフレッシュフレーム期間にはデータは任意である。
【０１８７】
また、各ダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。
【０１８８】
オフ領域となる第１行乃至第２行及び第８行に対してソース電極の中間電圧Ｃが出力されるようにし、各ダミーゲートに対してソース電極の中間電圧であるダミー走査データｄが出力されるようにしている理由は、第４の実施の形態において前述した通りである。
【０１８９】
パーシャル表示領域の表示カラーモードは、例えば、８色モード表示又はフルカラー表示とされる。
【０１９０】
第８の実施の形態では、第６の実施の形態と同様に、コモン電極電圧Ｖｃｏｍは、パーシャル表示領域走査期間（パーシャル表示領域書き込み期間）は行間交流駆動とされているが、パーシャル表示領域以外の走査期間（パーシャル表示領域以外の書き込み期間）はフレーム交流駆動ではなく総て中間電圧とされており、ノンリフレッシュフレーム期間におけるオフ領域及びダミーゲートに対応する期間も中間電圧とされている。
【０１９１】
即ち、第８の実施の形態では、パーシャル表示領域以外の書き込み期間がフレーム交流駆動期間であれば、パーシャル表示領域書き込み期間の前後に存在していた正極性又は負極性の同一極性成分期間、即ち、ハイレベル電圧期間又はローレベル電圧期間を総て中間電圧期間に置き換え、極性成分期間を排除してゼロとすることにより、結果として、パーシャル表示領域書き込み期間の前後の同一極性成分期間の長さが等しくゼロになるようにしている。
【０１９２】
このように、オフ領域及びダミーゲート書き込み期間におけるコモン電極電圧Ｖｃｏｍを総て中間電圧に置き換えたこととの関係上、前述のように、置き換えられた中間電圧期間に対応する各ダミーゲートに対して、リフレッシュフレーム期間には、オフカラーに相当する電圧ではなくソース電極の中間電圧であるダミー走査データｄが出力され、オフ領域となる第１行乃至第２行及び第８行に対して、リフレッシュフレーム期間には、オフカラー表示を行う出力オフカラーに相当する電圧Ｗではなくソース電極の中間電圧Ｃがソース電極駆動回路から出力される。
【０１９３】
本発明の第８の実施の形態に係るアクティブマトリクス型液晶表示装置の駆動方法は、パーシャル表示領域に付加した一行である第７行をオフカラー表示とした点のみ第６の実施の形態と相違しているが、その他の点は第６の実施の形態と同様の構成であり、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における極性反転回数を偶数回として極性反転動作のバランスを取るようにしたので、さらに、スジが発生し難くなる。
【０１９４】
また、コモン電極電圧Ｖｃｏｍは、基本的には行間交流駆動及び中間電圧の組み合わせであるので、フリッカの発生も防止することができる。
【０１９５】
さらに、この第８の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めているので、低消費電力化も図ることができる。
【０１９６】
図９は、本発明の第９の実施の形態に係るアクティブマトリクス型液晶表示装置の駆動方法により表示領域の一部領域にパーシャル表示を行う場合における各電極電圧の信号波形を示すタイミングチャートである。
【０１９７】
本発明の第９の実施の形態も、第７の実施の形態と同様に、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０１９８】
即ち、本発明の第９の実施の形態においても、第７の実施の形態と同様に、パーシャル表示領域として使用する画素行数を意図的に奇数行に設定している。
【０１９９】
また、本発明の第９の実施の形態においても、第７の実施の形態と同様に、意図的に付加した一行である第７行がパーシャル表示領域における実際の画像等の情報表示には不要である場合を考慮して、後述するように、第７行の画素電極に対しては、オフカラー表示を行う付加オフカラー行データｗがソース電極駆動回路から出力される。
【０２００】
但し、以下に説明するように、本発明の第９の実施の形態においては、オフ領域のノンリフレッシュフレーム期間には、パーシャル表示領域に意図的に付加した一行である第７行の画素電極の走査は行わない。この第７行は、オフ領域と同様にオフカラー表示を行っているだけなので、オフ領域のノンリフレッシュフレーム期間にオフ領域と同様に走査を行わないこととしても表示には実質的な影響がなく、一行の走査を省略する分だけわずかながら省電力化を図ることもできるからである。この点において、本発明の第９の実施の形態は、第７の実施の形態と相違している。
【０２０１】
この第９の実施の形態でも、オフ領域のリフレッシュレートはパーシャル表示領域の１／３とされている。従って、第９の実施の形態でも、オフ領域のリフレッシュフレーム期間である第１フレームでは全行の画素電極及びダミーゲートが順次走査されるが、オフ領域のノンリフレッシュフレーム期間である第２，第３フレームでは、上述のように、パーシャル表示領域を奇数行とするために意図的に付加した第７行を除くパーシャル表示領域の第３行乃至第６行の画素電極のみが順次走査される。
【０２０２】
ソース電極駆動回路からは、パーシャル表示を行う第３行乃至第７行のうち実際の画像等の情報表示を行う第３行乃至第６行に対して出力データ３乃至６が出力される一方、実際の画像等の情報表示には不要である第７行に対して、上述のように、オフカラー表示を行う付加オフカラー行データｗが出力される。また、オフ領域となる第１行乃至第２行及び第８行に対して、リフレッシュフレーム期間にはオフカラー表示を行う出力オフカラーに相当する電圧Ｗがソース電極駆動回路から出力されるが、ノンリフレッシュフレーム期間にはデータは任意である。
【０２０３】
各ダミーゲートのうち、表示領域の最初の行である第１行の前の第０行のダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。第０行のダミーゲートに対してソース電極の中間電圧であるダミー走査データｄが出力されるようにしている理由は、前述した通りである。また、表示領域の最後の行である第８行の後の第９行のダミーゲートに対して、リフレッシュフレーム期間にはオフカラーに相当する電圧であるダミー走査データＤが出力されるが、ノンリフレッシュフレーム期間にはデータは任意である。
【０２０４】
パーシャル表示領域の表示カラーモードは、例えば、８色モード表示又はフルカラー表示とされる。
【０２０５】
第９の実施の形態では、第７の実施の形態と同様に、コモン電極電圧Ｖｃｏｍは、パーシャル表示領域走査期間（パーシャル表示領域書き込み期間）及び付加オフカラー行（第７行）対応期間は行間交流駆動、パーシャル表示領域以外の走査期間（パーシャル表示領域以外の書き込み期間）はフレーム交流駆動とされ、ノンリフレッシュフレーム期間におけるオフ領域及びダミーゲートに対応する期間は中間電圧とされているが、パーシャル表示領域以外の書き込み期間であるフレーム交流駆動期間のうち、パーシャル表示領域書き込み期間の前後のいずれか一方の正極性又は負極性の同一極性成分期間、即ち、ハイレベル電圧期間又はローレベル電圧期間の長さを調節して、両者の長さが等しく（Ａ’＝Ｂ）なるようにしている。
【０２０６】
具体的には、パーシャル表示領域以外の書き込み期間であるフレーム交流駆動期間のうち、パーシャル表示領域書き込み期間の前後のいずれか長い方の正極性又は負極性の同一極性成分期間の一部を中間電圧期間に置き換えて短縮することにより（Ａ’）、本来ならば異なっていた両者の長さが等しく（Ａ’＝Ｂ）なるようにしている。
【０２０７】
このように、コモン電極電圧Ｖｃｏｍのフレーム交流駆動期間のうち、パーシャル表示領域書き込み期間の前後の正極性又は負極性の同一極性成分期間の一部を中間電圧期間に置き換えたこととの関係上、置き換えられた中間電圧期間に対応する第０行のダミーゲートに対しては、リフレッシュフレーム期間には、前述のように、オフカラーに相当する電圧ではなくソース電極の中間電圧であるダミー走査データｄが出力される。
【０２０８】
本発明の第９の実施の形態に係るアクティブマトリクス型液晶表示装置の駆動方法は、パーシャル表示領域に意図的に付加した一行であってオフカラー表示を行う第７行の画素電極をオフ領域のノンリフレッシュフレーム期間には走査しないこととした点のみ第７の実施の形態と相違しているが、その他の点は第７の実施の形態と同様の構成であり、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における極性反転回数を偶数回として極性反転動作のバランスを取るようにしたので、さらに、スジが発生し難くなる。
【０２０９】
また、コモン電極電圧Ｖｃｏｍは、基本的には行間交流駆動及びフレーム交流駆動の組み合わせであるので、フリッカの発生も防止することができる。
【０２１０】
また、この第９の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めており、さらに、オフ領域のノンリフレッシュフレーム期間に走査する画素電極を一行分減少させたので、低消費電力化も図ることができる。
【０２１１】
図１０は、本発明の第１０の実施の形態に係るアクティブマトリクス型液晶表示装置の駆動方法により表示領域の一部領域にパーシャル表示を行う場合における各電極電圧の信号波形を示すタイミングチャートである。
【０２１２】
本発明の第１０の実施の形態も、第５及び第６の実施の形態と同様に、全８行の表示領域のうち、本来は例えば第３行乃至第６行の４行（偶数行）で足りるところ、意図的に一行（第７行）を付加し、第３行乃至第７行の５行（奇数行）を使用してパーシャル表示を行う場合の一例である。
【０２１３】
即ち、本発明の第１０の実施の形態においても、第５及び第６の実施の形態と同様に、パーシャル表示領域として使用する画素行数を意図的に奇数行に設定している。
【０２１４】
また、本発明の第１０の実施の形態においては、第７及び第８の実施の形態と同様に、意図的に付加した一行である第７行がパーシャル表示領域における実際の画像等の情報表示には不要である場合を考慮して、後述するように、第７行の画素電極に対しては、オフカラー表示を行う付加オフカラー行データｗがソース電極駆動回路から出力される。
【０２１５】
但し、以下に説明するように、本発明の第１０の実施の形態においては、第９の実施の形態と同様に、オフ領域のノンリフレッシュフレーム期間には、パーシャル表示領域に意図的に付加した一行である第７行の画素電極の走査は行わない。この第７行は、オフ領域と同様にオフカラー表示を行っているだけなので、オフ領域のノンリフレッシュフレーム期間にオフ領域と同様に走査を行わないこととしても表示には実質的な影響がなく、一行の走査を省略する分だけわずかながら省電力化を図ることもできるからである。この点において、本発明の第１０の実施の形態は、第８の実施の形態と相違している。
【０２１６】
この第１０の実施の形態でも、オフ領域のリフレッシュレートはパーシャル表示領域の１／３とされている。従って、第１０の実施の形態でも、オフ領域のリフレッシュフレーム期間である第１フレームでは全行の画素電極及びダミーゲートが順次走査されるが、オフ領域のノンリフレッシュフレーム期間である第２，第３フレームでは、上述のように、パーシャル表示領域を奇数行とするために意図的に付加した第７行を除くパーシャル表示領域の第３行乃至第６行の画素電極のみが順次走査される。
【０２１７】
ソース電極駆動回路からは、パーシャル表示を行う第３行乃至第７行のうち実際の画像等の情報表示を行う第３行乃至第６行に対して出力データ３乃至６が出力される一方、実際の画像等の情報表示には不要である第７行に対して、上述のように、オフカラー表示を行う付加オフカラー行データｗが出力される。また、オフ領域となる第１行乃至第２行及び第８行に対して、リフレッシュフレーム期間には、オフカラー表示を行う出力オフカラーに相当する電圧Ｗではなくソース電極の中間電圧Ｃがソース電極駆動回路から出力されるが、ノンリフレッシュフレーム期間にはデータは任意である。
【０２１８】
また、各ダミーゲートに対して、リフレッシュフレーム期間にはオフカラーに相当する電圧ではなくソース電極の中間電圧であるダミー走査データｄが出力されるが、ノンリフレッシュフレーム期間にはデータは任意である。
【０２１９】
オフ領域となる第１行乃至第２行及び第８行に対してソース電極の中間電圧Ｃが出力されるようにし、各ダミーゲートに対してソース電極の中間電圧であるダミー走査データｄが出力されるようにしている理由は、第４の実施の形態において前述した通りである。
【０２２０】
パーシャル表示領域の表示カラーモードは、例えば、８色モード表示又はフルカラー表示とされる。
【０２２１】
第１０の実施の形態では、第６及び第８の実施の形態と同様に、コモン電極電圧Ｖｃｏｍは、パーシャル表示領域走査期間（パーシャル表示領域書き込み期間）及び付加オフカラー行（第７行）対応期間は行間交流駆動とされているが、パーシャル表示領域以外の走査期間（パーシャル表示領域以外の書き込み期間）はフレーム交流駆動ではなく総て中間電圧とされており、ノンリフレッシュフレーム期間におけるオフ領域及びダミーゲートに対応する期間も中間電圧とされている。
【０２２２】
即ち、第１０の実施の形態では、パーシャル表示領域以外の書き込み期間がフレーム交流駆動期間であれば、パーシャル表示領域書き込み期間の前後に存在していた正極性又は負極性の同一極性成分期間、即ち、ハイレベル電圧期間又はローレベル電圧期間を総て中間電圧期間に置き換え、極性成分期間を排除してゼロとすることにより、結果として、パーシャル表示領域書き込み期間の前後の同一極性成分期間の長さが等しくゼロになるようにしている。
【０２２３】
このように、オフ領域及びダミーゲート書き込み期間におけるコモン電極電圧Ｖｃｏｍを総て中間電圧に置き換えたこととの関係上、前述のように、置き換えられた中間電圧期間に対応する各ダミーゲートに対して、リフレッシュフレーム期間には、オフカラーに相当する電圧ではなくソース電極の中間電圧であるダミー走査データｄが出力され、オフ領域となる第１行乃至第２行及び第８行に対して、リフレッシュフレーム期間には、オフカラー表示を行う出力オフカラーに相当する電圧Ｗではなくソース電極の中間電圧Ｃがソース電極駆動回路から出力される。
【０２２４】
本発明の第１０の実施の形態に係るアクティブマトリクス型液晶表示装置の駆動方法は、パーシャル表示領域に意図的に付加した一行であってオフカラー表示を行う第７行の画素電極をオフ領域のノンリフレッシュフレーム期間には走査しないこととした点のみ第８の実施の形態と相違しているが、その他の点は第８の実施の形態と同様の構成であり、従来の技術の問題点であった１行おきのスジの発生（ｎ行間交流の場合にはｎ行おきのスジの発生：ｎ≧１、ｎは整数）を防止することができるのみならず、パーシャル表示領域として使用する画素行数を意図的に奇数行に設定して、パーシャル表示領域走査期間（パーシャル表示領域書き込み期間）に対応するコモン電極電圧Ｖｃｏｍの行間交流駆動期間における極性反転回数を偶数回として極性反転動作のバランスを取るようにしたので、さらに、スジが発生し難くなる。
【０２２５】
また、コモン電極電圧Ｖｃｏｍは、基本的には行間交流駆動及び中間電圧の組み合わせであるので、フリッカの発生も防止することができる。
【０２２６】
また、この第１０の実施の形態においても、上述のようなコモン電極電圧Ｖｃｏｍの駆動方法を採用したことに加えて、ノンリフレッシュフレーム期間におけるオフ領域及びダミーゲートに対応する期間は中間電圧としてノンリフレッシュフレーム期間における画素電極走査とソース電極駆動回路からのデータ出力変化とを必要最小限に留めており、さらに、オフ領域のノンリフレッシュフレーム期間に走査する画素電極を一行分減少させたので、低消費電力化も図ることができる。
【０２２７】
図１１は、本発明の第１１の実施の形態に係るアクティブマトリクス型液晶表示装置の駆動方法により表示領域の一部領域にパーシャル表示を行う場合における各電極電圧の信号波形を示すタイミングチャートである。
【０２２８】
図１１に示す本発明の第１１の実施の形態のタイミングチャートは、比較すると判るように、図９に示す本発明の第９の実施の形態のタイミングチャートと全く同様の構成となっている。
【０２２９】
この本発明の第１１の実施の形態は、前述した第９の実施の形態において、特に、オフ領域のノンリフレッシュフレーム期間に、コモン電極電圧Ｖｃｏｍを中間電圧とし、かつ、ソース電極電圧を中間電圧としている点が、本発明の構成の一部であることを強調するために提示したものである。
【０２３０】
本発明の第９及び第１１の実施の形態において、このような構成を採用する理由は、オフ領域のノンリフレッシュフレーム期間には、画素電極とソースバスとの間の容量カップリングを考慮すると、ソース電極には、正書き込み電圧と負書き込み電圧との中間電圧を印加しておくことが望ましいからであり、画素電極とコモン電極との間の電荷リークを考慮すると、コモン電極には、正極性コモン電圧と負極性コモン電圧との中間電圧を印加しておくことが望ましいからである。
【０２３１】
尚、ソース電極については、ソース電極の中間電圧を印加する代わりに、それに近い電圧、例えばコモン電極電圧Ｖｃｏｍの中間電圧を印加してもよい。
【０２３２】
本発明の第１１の実施の形態は、上記構成により、画素電極とソースバスとの間の容量カップリングを抑制又は防止するとともに、低消費電力化を図ることができる。
【０２３３】
図１２は、本発明の第１２の実施の形態に係るアクティブマトリクス型液晶表示装置の駆動方法により表示領域の一部領域にパーシャル表示を行う場合における各電極電圧の信号波形を示すタイミングチャートである。
【０２３４】
この本発明の第１２の実施の形態は、前述した第１０の実施の形態において、オフ領域のノンリフレッシュフレーム期間に、コモン電極電圧Ｖｃｏｍを中間電圧とすることに加えて、ソース電極電圧を中間電圧とするのではなく、ソース電極駆動回路出力をハイインピーダンスＨｉ−Ｚに設定することとしたものである。
【０２３５】
省電力化を優先的に考慮する場合、オフ領域のノンリフレッシュフレーム期間には、ソース電極駆動回路出力をハイインピーダンスＨｉ−Ｚに設定することが望ましい。
【０２３６】
本発明の第１２の実施の形態は、上記構成により、さらなる低消費電力化を図ることができる。
【０２３７】
図１３は、本発明の第１３の実施の形態に係るアクティブマトリクス型液晶表示装置の駆動方法により表示領域の一部領域にパーシャル表示を行う場合における各電極電圧の信号波形を示すタイミングチャートである。
【０２３８】
本発明の第１３の実施の形態は、上述の第１１及び第１２の実施の形態を組み合わせたものである。
【０２３９】
オフ領域のノンリフレッシュフレーム期間には、画素電極とソースバスとの間の容量カップリングを考慮すると、ソース電極には、正書き込み電圧と負書き込み電圧との中間電圧を印加しておくことが望ましいが、省電力化を考慮すると、ソース電極駆動回路出力をハイインピーダンスＨｉ−Ｚに設定することが望ましい。
【０２４０】
そこで、本発明の第１３の実施の形態においては、オフ領域のノンリフレッシュフレーム期間におけるパーシャル表示領域書き込み期間以外の期間には、ソース電極に、先ず、正書き込み電圧と負書き込み電圧との中間電圧を印加してから、ソース電極駆動回路出力をハイインピーダンスＨｉ−Ｚに設定することとしている。
【０２４１】
本発明の第１３の実施の形態は、上記構成により、画素電極とソースバスとの間の容量カップリングを抑制又は防止するとともに、さらなる低消費電力化を図ることができる。
【０２４２】
図２２は、本発明の各実施の形態に係るアクティブマトリクス型液晶表示装置の駆動方法により駆動されるアクティブマトリクス型液晶表示装置の概略構成を示す平面図である。
【０２４３】
アクティブマトリクス型液晶表示装置１０１は、一方の透明基板上の表示領域１２にマトリクス状に配置された画素２００と、各画素２００内にそれぞれ配設された画素電極ＰＥと、各画素電極ＰＥと対向するように他方の透明基板上に形成されたコモン電極ＣＥと、画素電極ＰＥの走査、具体的には、画素電極ＰＥに接続されたトランジスタＴ１０の制御ノードの走査を行うスキャンドライバ１１と、ソース電極を介して画素電極ＰＥに供給される書き込み電圧を出力するソース電極駆動回路としてのデータドライバ１０とを備えている。
【０２４４】
このような概略構成を有するアクティブマトリクス型液晶表示装置１０１は、本発明の各実施の形態に係るアクティブマトリクス型液晶表示装置の駆動方法により駆動される。
【０２４５】
図２３は、本発明の各実施の形態に係るアクティブマトリクス型液晶表示装置の駆動方法により駆動されるアクティブマトリクス型液晶表示装置の適用対象の一例としての携帯型電話装置を示す斜視図である。
【０２４６】
本発明の各実施の形態に係るアクティブマトリクス型液晶表示装置の駆動方法により駆動されるアクティブマトリクス型液晶表示装置は、図１１に示す携帯型電話装置１００のディスプレイ装置１０１として好適であるが、携帯型電話装置に限られることなく、ディジタルカメラ、個人用情報端末装置（ＰＤＡ）、ノート型コンピュータ、デスクトップコンピュータ、テレビジョン受像器、車載ディスプレイ、ポータブルＤＶＤプレーヤのいずれかのような電子装置に適用されるものである。
【図面の簡単な説明】
【０２４７】
【図１】本発明の第１の実施の形態に係るアクティブマトリクス型液晶表示装置の駆動方法により表示領域の一部領域にパーシャル表示を行う場合における各電極電圧の信号波形を示すタイミングチャートである。
【図２】本発明の第２の実施の形態に係るアクティブマトリクス型液晶表示装置の駆動方法により表示領域の一部領域にパーシャル表示を行う場合における各電極電圧の信号波形を示すタイミングチャートである。
【図３】本発明の第３の実施の形態に係るアクティブマトリクス型液晶表示装置の駆動方法により表示領域の一部領域にパーシャル表示を行う場合における各電極電圧の信号波形を示すタイミングチャートである。
【図４】本発明の第４の実施の形態に係るアクティブマトリクス型液晶表示装置の駆動方法により表示領域の一部領域にパーシャル表示を行う場合における各電極電圧の信号波形を示すタイミングチャートである。
【図５】本発明の第５の実施の形態に係るアクティブマトリクス型液晶表示装置の駆動方法により表示領域の一部領域にパーシャル表示を行う場合における各電極電圧の信号波形を示すタイミングチャートである。
【図６】本発明の第６の実施の形態に係るアクティブマトリクス型液晶表示装置の駆動方法により表示領域の一部領域にパーシャル表示を行う場合における各電極電圧の信号波形を示すタイミングチャートである。
【図７】本発明の第７の実施の形態に係るアクティブマトリクス型液晶表示装置の駆動方法により表示領域の一部領域にパーシャル表示を行う場合における各電極電圧の信号波形を示すタイミングチャートである。
【図８】本発明の第８の実施の形態に係るアクティブマトリクス型液晶表示装置の駆動方法により表示領域の一部領域にパーシャル表示を行う場合における各電極電圧の信号波形を示すタイミングチャートである。
【図９】本発明の第９の実施の形態に係るアクティブマトリクス型液晶表示装置の駆動方法により表示領域の一部領域にパーシャル表示を行う場合における各電極電圧の信号波形を示すタイミングチャートである。
【図１０】本発明の第１０の実施の形態に係るアクティブマトリクス型液晶表示装置の駆動方法により表示領域の一部領域にパーシャル表示を行う場合における各電極電圧の信号波形を示すタイミングチャートである。
【図１１】本発明の第１１の実施の形態に係るアクティブマトリクス型液晶表示装置の駆動方法により表示領域の一部領域にパーシャル表示を行う場合における各電極電圧の信号波形を示すタイミングチャートである。
【図１２】本発明の第１２の実施の形態に係るアクティブマトリクス型液晶表示装置の駆動方法により表示領域の一部領域にパーシャル表示を行う場合における各電極電圧の信号波形を示すタイミングチャートである。
【図１３】本発明の第１３の実施の形態に係るアクティブマトリクス型液晶表示装置の駆動方法により表示領域の一部領域にパーシャル表示を行う場合における各電極電圧の信号波形を示すタイミングチャートである。
【図１４】アクティブマトリクス型液晶表示装置において表示領域の全領域に表示を行う全行通常表示の場合における各電極電圧の信号波形を示すタイミングチャートである。
【図１５】アクティブマトリクス型液晶表示装置において表示領域の一部領域にパーシャル表示を行う場合における各電極電圧の信号波形の従来例１を示すタイミングチャートである。
【図１６】アクティブマトリクス型液晶表示装置において表示領域の一部領域にパーシャル表示を行う場合における各電極電圧の信号波形の従来例２を示すタイミングチャートである。
【図１７】アクティブマトリクス型液晶表示装置において表示領域の一部領域にパーシャル表示を行う場合における各電極電圧の信号波形の従来例３を示すタイミングチャートである。
【図１８】アクティブマトリクス型液晶表示装置において表示領域の一部領域にパーシャル表示を行う場合における各電極電圧の信号波形の従来例４を示すタイミングチャートである。
【図１９】アクティブマトリクス型液晶表示装置において表示領域の一部領域にパーシャル表示を行う場合における各電極電圧の信号波形の従来例５を示すタイミングチャートである。
【図２０】アクティブマトリクス型液晶表示装置において表示領域の一部領域にパーシャル表示を行う場合における各電極電圧の信号波形の従来例６を示すタイミングチャートである。
【図２１】アクティブマトリクス型液晶表示装置において表示領域の一部領域にパーシャル表示を行う場合における各電極電圧の信号波形の従来例７を示すタイミングチャートである。
【図２２】本発明の各実施の形態に係るアクティブマトリクス型液晶表示装置の駆動方法により駆動されるアクティブマトリクス型液晶表示装置の概略構成を示す平面図である。
【図２３】本発明の各実施の形態に係るアクティブマトリクス型液晶表示装置の駆動方法により駆動されるアクティブマトリクス型液晶表示装置の適用対象の一例としての携帯型電話装置を示す斜視図である。
【符号の説明】
【０２４８】
Vcom Output  コモン電極電圧
Source Output  ソース電極電圧
Dummy  ダミーゲート
Gate1，Gate2，Gate3，Gate4，Gate5，Gate6，Gate7，Gate8，画素電極に接続されたトランジスタのゲート
１，２，３，４，５，６，７，８  出力データ
Ｄ  ダミー走査データ（オフカラー）
ｄ  ダミー走査データ（ソース電極の中間電圧）
Ｗ  出力オフカラーに相当する電圧（オフ領域用）
ｗ  付加オフカラーに相当する電圧（付加行用）
Ｃ  ソース電極の中間電圧
Ｈｉ−Ｚ  ハイインピーダンス
１０  データドライバ
１１  スキャンドライバ
１２  表示領域
１００  携帯型電話装置
１０１  アクティブマトリクス型液晶表示装置（ディスプレイ装置）
２００  画素
ＰＥ  画素電極
ＣＥ  コモン電極
Ｔ１０  トランジスタ
【図１】
0004455629.tif 000002
【図２】
0004455629.tif 000003
【図３】
0004455629.tif 000004
【図４】
0004455629.tif 000005
【図５】
0004455629.tif 000006
【図６】
0004455629.tif 000007
【図７】
0004455629.tif 000008
【図８】
0004455629.tif 000009
【図９】
0004455629.tif 000010
【図１０】
0004455629.tif 000011
【図１１】
0004455629.tif 000012
【図１２】
0004455629.tif 000013
【図１３】
0004455629.tif 000014
【図１４】
0004455629.tif 000015
【図１５】
0004455629.tif 000016
【図１６】
0004455629.tif 000017
【図１７】
0004455629.tif 000018
【図１８】
0004455629.tif 000019
【図１９】
0004455629.tif 000020
【図２０】
0004455629.tif 000021
【図２１】
0004455629.tif 000022
【図２２】
0004455629.tif 000023
【図２３】
0004455629.tif 000024